(57)【要約】【課題】従来の曳き紐は重くて伸縮せず、かつ取り付け輪の締結手段が弱いので、合成樹脂発泡芯の外周を編み上げ被覆し、かつ輪が丈夫に形成できる紐体を提供する。【解決手段】合成樹脂発泡芯２を不織布３で被覆した外周を反射細紐４を編み込んだ編み上げ被覆５して成る紐体１を形成し、該紐体１の一方に留め具７を介在させた端部を折り返した合わせ目と、他方端部を折り返した合わせ目それぞれをＣ字状リング８で締結した部位をチューブキャップ１０で覆った曳き紐１２とする。【選択図】図１
2006051007.tif 000002
【特許請求の範囲】
【請求項１】
合成樹脂製の発泡芯を不織布で被覆した外周を編み上げ被覆した紐体を形成し、該紐体の一方端部に留め具を介在させて折り返した合わせ目を、Ｃ字状リングで締結して成る係止輪を形成した前記締結部を、チューブキャップで覆って成る構成を特徴とするペットの曳き紐。
【請求項２】
上記する紐体の他方端部を手首が入る大きさに折り返した合わせ目を、Ｃ字状リングで締結した部位をチューブキャップで覆って成る取っ手輪を形成した請求項１に記載するペットの曳き紐。
【請求項３】
上記する紐体の編み上げ被覆に、再帰性の反射細紐を編み込んで成る請求項１又は請求項２に記載するペットの曳き紐。
【発明の詳細な説明】
【技術分野】
【０００１】  本発明は、犬などのペット用曳き紐として、適度に伸縮するとともに極めて軽く、かつ反射発光する機能的な曳き紐に関する。
【背景技術】
【０００２】  従来、犬やペットなどの曳き紐においては、一定の長さの紐の一方に首輪に留めるための留め具を取り付ける輪を設けたり、さらに他方端部に手を通せる大きさの輪を形成した曳き紐が提供されている。またこの輪の形成方法として、合成樹脂製の紐の端部を折り返して熱溶着した部位に筒状体を被せて輪奈部を形成する、引き紐の端部構造の組み立て方法の技術がある（例えば特許文献１参照）。さらに紐端部を折り返した重ね部位に金属板による係止部材を巻き付けて、その外周に保護部材を被せた技術もある（例えば特許文献２参照）
【特許文献１】特開平１０−９８９６６号公報（第２−４頁、図１）
【特許文献２】特開平１１−１８６１１号公報（第２−３頁、図１）
【発明の開示】
【発明が解決しようとする課題】
【０００３】  上記のように紐の端部に輪を形成したペット用の曳き紐があり、それぞれ曳き紐に留め具を取り付けられる一定の目的は果たしている。しかし特開平１０−９８９６６号公報における技術は、合成樹脂製による紐状体の端部を折り返した合わせ目を熱溶着して輪を形成した前記溶着部を筒状体で被覆した曳き紐であるが、この曳き紐端部に設ける輪の形成手段は、曳き紐端部を折り返した合わせ目を熱溶着して締着する方法であるので引っ張り強度は弱い。力の弱い小型の犬の場合はよいが、大型の犬等の場合は力が強いので急に走り出した時は熱溶着部が切れてしまうなどの欠点がある。また曳き紐は内部まで合成樹脂繊維等による素材で一体形成されているので重く、特に雨に濡れると水を吸ってさらに重くなるため、犬の首への負担はもとより曳き連れている飼い主の操作にも支障があるなどの不便や欠点がある曳き紐である。【０００４】  さらに特開平１１−１８６１１号公報による技術は、紐状体の端部を折り返した合わせ目を金属製の係止部材により締め付け、その部位を保護部材で覆った可撓性長尺物の係止構造であるが、この技術も以下に示すような不便や欠点がある。まず紐状体の端部を屈折して輪状の環状体を形成する手段としては、屈折した合わせ目部位を細かい歯を数多く設けた板状の係止部材を巻き付けて締結し、その外周を合成樹脂製の保護部材を取り付けた技術であるが、紐状体はナイロンなどの合成樹脂繊維で芯まで一体形成された紐であるため重くて伸縮性はない。さらに屈折した合わせ目を締結する手段は、細かい歯を数多く設けた板状の部材であるのでコストが高い締結部材である。またその上に取り付ける保護部材も成形による部材であるためコスト高となるなどの不便や欠点がある長尺物の係止構造である。
【課題を解決するための手段】
【０００５】  本発明は、上記する曳き紐が持つ不便や欠点を解消するものであって、請求項１においては、合成樹脂製の発泡芯を不織布で被覆した外周を編み上げ被覆した紐体を形成し、該紐体の一方端部に留め具を介在させて折り返した合わせ目を、Ｃ字状リングで締結して成る係止輪を形成した前記締結部をチューブキャップで覆ったペットの曳き紐とすることにより、適度な弾性を有するとともに極めて軽く、かつ係止輪はシンプルにして丈夫に形成できるものとする。【０００６】  請求項２においては、上記する紐体の他方端部を手首が入る大きさに折り返した合わせ目を、Ｃ字状リングで締結した部位をチューブキャップで覆って成る取っ手輪を形成することにより、前記取っ手輪に手首を入れて確実に握ることができる曳き紐とする。【０００７】  請求項３においては、上記する紐体の編み上げ被覆に再帰性の反射細紐を編み込んだ曳き紐とすることで、夜間において自動車のライトを受けると反射発光するものとする。
【発明の効果】
【０００８】  本発明における曳き紐は、紐体の芯材に不織布で被覆したポリエチレン等の合成樹脂発泡芯を採用し、かつその外周は編み上げ被覆した紐体であるため約１割以上の伸縮性を有する。したがって犬が急に走り出しても衝撃を吸収するので、犬にも飼い主に優しい曳き紐であるとともに、前記編み上げ被覆には再帰性反射材による反射細紐を編み込んでいるため、夜間の散歩時に自動車のライトを受けると反射発光するので、ペットや飼い主の交通安全を図れる曳き紐である。さらにペットの首輪に繋ぐ留め具を取り付ける係止輪や手首を入れられる取っ手輪の締結手段は、シンプルなＣ字状リングで複数箇所を締結するので、連結部の耐久力は約１００Ｋｇ以上と強固にできるとともに、Ｃ字状リングはシンプルであるので安価である。【０００９】  加えて、紐体の芯材は軽いポリエチレン発泡芯を採用し、また外周の被覆素材は合成繊維で編み上げ形成された紐体であるため、従来の同じ太さの紐やロープと比べて約半分以下と極めて軽いので、散歩時におけるペットの首への負担軽減はもとより、引き連れる飼い主への負担も大幅に軽減することができる。また曳き紐の持ち手側には取って輪を形成しているので引き連れやすく、杭などの場合は引っ掛けるだけで繋ぎ留められる機能的な曳き紐を提供する。
【発明を実施するための最良の形態】
【００１０】  ポリエチレン発泡芯を不織布で被覆補強した外周を、反射材を織り込んで編み上げ被覆した紐端部を折り返した合わせ目を、複数個のＣ字状リングで締結して成る係止輪を形成した前記締結部をチューブで被覆して成る曳き紐とする。
【実施例】
【００１１】  本発明の実施例を、図１に示す曳き紐の一部省略した斜視図と図２の紐体の内部を示す拡大斜視図、図３の係止輪部位を示す一部分離した拡大斜視図を参照して説明する。
本発明の主体となる紐体１は、一定の長さと適度な太さのポリエチレン発泡材等による合成樹脂発泡芯２の外周を不織布３で被覆補強し、かつその外周には、図２に示すように反射細紐４を編み込んで成る編み上げ被覆５をして反射発光部６を有する紐体１とし、その紐体１の一方端部には、ナス環やダブルリング等の留め具７を介在させて小さく折り返した合わせ部位をＣ字状リング８を複数本用いて、図３に示すように締着して係止輪９を形成した前記締着部位を、予め紐体１に通して置いたチューブキャップ１０を接着剤をもって取り付ける。さらに紐体１の他方端部は、予めチューブキャップ１０を通してから、手首が通せる程度の大きさに折り返した合わせ目部位を、前記同様に複数本のＣ字状リング８を用いて締結してから、チューブキャップ１０を接着被覆して取っ手輪１１を形成して成る曳き紐１２を構成する。【００１２】  本発明における曳き紐１２は以上のように形成されるので、まず紐体１は、不織布３で補強されたポリエチレン等の合成樹脂発泡芯２を採用し、かつその外周は編み上げ被覆５した紐体１であるので、従来の一般の紐やロープに比べて約半分以下の軽い紐体１を形成する。加えて、合成樹脂発泡芯２及び編み上げ被覆５は約１割程度の伸縮性を有するため、ペットが急に走り出しても衝撃を吸収できる曳き紐１となる。【００１３】  さらに編み上げ被覆５においては、再帰性反射材による反射細紐４を編み込んで反射発光部６を形成するため、夜間において自動車等のライトを受けると反射発光する。また係止輪９及び取っ手輪１１は、複数本のＣ字状リング８で締結する方式であるため簡単に形成でき、かつ引っ張り強度はきわめて高い輪を形成する。【００１４】  本発明における曳き紐は以上のような構成であるが、紐体１の芯材はポリエチレン等の発泡材が好ましいが、これ以外の他の合成樹脂発泡材による芯材でも差し支えない。また編み上げ被覆５の一部には螺旋状に反射細紐４を編み込んでいるが、全体に編み込んでも差し支えない。さらに反射細紐４を編み込むと交通安全に寄与する紐となるが、編み込まなくても本考案の目的を損なうものではなく、いずれも特に限定されるものではない。
【産業上の利用可能性】
【００１５】  本発明の紐は、ペットなどの曳き紐１を対象としているが、一般に用いる紐や工事現場のロープとしても使えるし、また他の留め具やフックを設けることでボートや船の係留用のロープとしても適用できる。
【図面の簡単な説明】
【００１６】
【図１】  本発明の曳き紐を示す一部省略した斜視図である。
【図２】  曳き紐の紐体内部を示す拡大斜視図である。
【図３】  曳き紐の係止輪部位を示す一部分離した拡大斜視図である。
【符号の説明】
【００１７】  １  紐体
２  合成樹脂発泡芯
３  不織布
４  反射細紐
５  編み上げ被覆
６  反射発光部
７  留め具
８  Ｃ字状リング
９  係止輪
１０  チューブキャップ
１１  取っ手輪
１２  曳き紐
【図１】
2006051007.tif 000003
【図２】
2006051007.tif 000004
【図３】
2006051007.tif 000005